(57)【特許請求の範囲】
【請求項１】
測定対象のガスの吸着による電気信号の変化によりガス濃度を測定するガスセンサと、
前記ガスセンサを搭載する回転体と、
前記回転体を回転させる駆動部と、を備え、
前記ガスセンサは、前記回転体の回転軸から離間した位置に配置され、
前記駆動部は、一定速度で前記回転体を回転させるガス検出装置。
【請求項２】
少なくとも前記ガスセンサと前記回転体を収容する密閉容器を備える請求項１に記載のガス検出装置。
【請求項３】
前記回転体は第１の磁石を、前記駆動部は第２の磁石を備え、
前記駆動部は、前記回転軸周りに前記第２の磁石を回転させることにより、前記第２の磁石と誘引し合う前記第１の磁石を備えた前記回転体を回転させる請求項１または２に記載のガス検出装置。
【請求項４】
前記密閉容器外に配置され、交流の電力を供給する給電ユニットと、
前記密閉容器外に配置され、前記給電ユニットから供給される交流の電力により、磁界を発生する給電用コイルと、
前記密閉容器内に配置され、給電用コイルで発生した磁界により、交流の電力を発生させる受電用コイルと、
前記密閉容器内に配置され、前記交流の電力を直流に変換し、ガスセンサに直流の電力を供給するＡＣ−ＤＣ変換回路と、を備え、
前記給電用コイルと前記受電用コイルは、同じ直径を有する環形状であり、前記回転体の回転軸を中心として配置されている請求項２または３に記載のガス検出装置。
【請求項５】
前記密閉容器内に配置され、前記ガスセンサが測定したガス濃度のデータを無線信号に変換する送信回路と、
前記密閉容器内に配置され、前記無線信号を送信する送信アンテナと、
前記密閉容器外に配置され、前記無線信号を受信する受信アンテナと、
前記密閉容器外に配置され、前記無線信号からガス濃度のデータを得るデータ変換回路と、を備え、
前記送信アンテナと前記受信アンテナは、同じ直径を有する環形状であり、前記回転体の回転軸を中心として配置されている請求項２から４のいずれか一項に記載のガス検出装置。
【発明の詳細な説明】
【技術分野】
【０００１】
本発明はガス検出装置に関する。
【背景技術】
【０００２】
例えば、リチウムイオン電池等の全固体電池では、積層後の電極をラミネートフィルムで封止する構造となっている。ここで、全固体電池の材料は、空気中の水分と反応すると電池性能が大きく低下してしまうため、ラミネートフィルムの封止品質を保証する必要がある。
【０００３】
しかしながら、全固体電池はラミネートフィルム内を減圧して封入されているので、ラミネートフィルム外からリークガスを検出して封止品質を保証することができない。そのため、ラミネートフィルム内すなわち密閉空間内にガスセンサを配置して、水分（水蒸気）を検出する必要がある。
【０００４】
特許文献１には、密閉空間内に水晶振動子センサを配置してガス濃度を測定する方法が記載されている。
【先行技術文献】
【特許文献】
【０００５】
【特許文献１】特開２０１１−１０６８９４号公報
【発明の概要】
【発明が解決しようとする課題】
【０００６】
しかしながら、特許文献１に開示された水晶振動子センサのような、測定対象ガスの吸着による電気信号の変化によりガスを検出するガスセンサでは、応答速度や検出感度が、測定ガスの流速に大きく影響される。特に流速が小さくなると、応答速度や検出感度が低下するため、密閉空間内等で滞留しているガスを、精度良く検出することが難しいという問題がある。
【０００７】
本発明は、測定対象のガスが停滞している状態においても、ガスを精度良く検出することができるガス検出装置を提供することを目的としている。
【課題を解決するための手段】
【０００８】
本発明にかかるガス検出装置は、測定対象のガスの吸着による電気信号の変化によりガスを検出するガスセンサと、前記ガスセンサを搭載する回転体と、前記回転体を回転させる駆動部と、を備え、前記ガスセンサは、前記回転体の回転軸から離間した位置に配置され、前記駆動部は、一定速度で前記回転体を回転させる。
【０００９】
本発明のガス検出装置によれば、ガスセンサを回転軸から離間した周上を一定速度で周回させることにより、ガスセンサと滞留したガスが一定の流速を保った状態で測定できるので、ガスを精度良く検出することができる。
【００１０】
本発明にかかるガス検出装置は、少なくとも前記ガスセンサと前記回転体を収容する密閉容器を備える。
【００１１】
本発明のガス検出装置によれば、ガスセンサを回転軸から離間した周上を一定速度で周回させることにより、ガスセンサと滞留したガスが一定の流速を保った状態で測定できるので、密閉容器内で滞留しているガスを精度良く検出することができる。
【００１２】
本発明にかかるガス検出装置は、前記回転体は第１の磁石を、前記駆動部は第２の磁石を備え、前記駆動部は、前記回転軸周りに前記第２の磁石を回転させることにより、前記第２の磁石と誘引し合う前記第１の磁石を備えた前記回転体を回転させることが好ましい。
【００１３】
本発明のガス検出装置によれば、駆動部側と回転体側が、回転軸から同じ距離に、それぞれ磁石を備えることにより、非接触で駆動部の回転を回転体側に伝達することができる。
【００１４】
本発明のガス検出装置によれば、前記密閉容器外に配置され、交流の電力を供給する給電ユニットと、前記密閉容器外に配置され、前記給電ユニットから供給される交流の電力により、磁界を発生する給電用コイルと、前記密閉容器内に配置され、給電用コイルで発生した磁界により、交流の電力を発生させる受電用コイルと、前記密閉容器内に配置され、前記交流の電力を直流に変換し、ガスセンサに直流の電力を供給するＡＣ−ＤＣ変換回路と、を備え、前記給電用コイルと前記受電用コイルは、同じ直径を有する環形状であり、前記回転体の回転軸を中心として配置されていることが好ましい。
【００１５】
本発明のガス検出装置によれば、非接触電力伝送方式で電力を供給することにより、密閉空間内に配置したガスセンサ及び回路に電力を供給することができ、密閉空間内のガスを検出し、ガス濃度を測定することができる。
【００１６】
本発明のガス検出装置によれば、前記密閉容器内に配置され、前記ガスセンサが測定したガス濃度のデータを無線信号に変換する送信回路と、前記密閉容器内に配置され、前記無線信号を送信する送信アンテナと、前記密閉容器外に配置され、前記無線信号を受信する受信アンテナと、前記密閉容器外に配置され、前記無線信号からガス濃度のデータを得るデータ変換回路と、を備え、前記送信アンテナと前記受信アンテナは、同じ直径を有する環形状であり、前記回転体の回転軸を中心として配置されていることが好ましい。
【００１７】
本発明のガス検出装置によれば、ガス濃度を測定したデータを無線信号で送信することにより、密閉空間内のガス濃度を測定した結果を外部に伝送することができる。
【発明の効果】
【００１８】
本発明のガス検出装置によれば、測定対象のガスが停滞している状態においても、ガスを精度良く検出することができる。
【図面の簡単な説明】
【００１９】
【図１】実施の形態１にかかるガス検出装置の構成を示す断面図である。
【図２】実施の形態１にかかるガス検出装置の構成を示す上面透視図である。
【図３】実施の形態１にかかるガス検出装置の電気回路に関するブロック図である。
【図４】実施の形態２に係るガス検出装置及びリチウムイオン電池の構成を示す断面図である。
【図５】実施の形態１にかかるガス検出装置の変形例の構成を示す上面透視図である。
【発明を実施するための形態】
【００２０】
（実施の形態１）
以下、図面を参照して本発明の実施の形態について説明する。図１は、実施の形態１にかかるガス検出装置の構成を示す断面図である。
【００２１】
図１において、ガス検出装置１０は、ガスセンサ１１と、回転体１２と、第１の磁石１３と、固定台１４と、ベアリング１５と、モータ１７と、回転板１８と、第２の磁石１９と、給電・通信ユニット２０と、給電用コイル２１と、受信アンテナ２２と、受電・送信ユニット２３と、受電用コイル２４と、送信アンテナ２５を備える。
【００２２】
ガスセンサ１１は、測定対象のガスの吸着による電気信号の変化を測定することによりガスを検出する。例えば、ガスセンサ１１は、球状ＳＡＷセンサまたは平面ＳＡＷセンサが好適である。球状ＳＡＷセンサは、球の表面を繰り返し周回する弾性表面波の伝搬時間からガス濃度を測定することができる。また、ガスセンサ１１が検出するガスの成分は、センサの種類により異なる。例えば、球状ＳＡＷセンサの場合、水分（水蒸気）を検出し、その濃度を測定することが可能である。
【００２３】
回転体１２は、ガスセンサ１１を搭載する。ガスセンサ１１を搭載する位置は、回転体１２の回転軸から離間した位置である。また、回転体１２は、回転軸から離間した位置に第１の磁石１３を備える。そして、回転体１２は、第２の磁石１９を備える回転板１８の回転に同期して回転する。
【００２４】
また、回転体１２は、受電・送信ユニット２３、受電用コイル２４、及び送信アンテナ２５を備える。例えば、回転体１２は回転軸近傍を中空とし、受電・送信ユニット２３、受電用コイル２４、及び送信アンテナ２５が、回転体１２の回転軸近傍の中空内に配置されることが望ましい。後述する給電用コイル２１及び受信アンテナ２２も同じく、回転軸近傍に配置されることにより、回転体１２が回転した場合に、受電用コイル２４と給電用コイル２１が対応する位置を保つことができる。同様に回転体１２が回転した場合に、送信アンテナ２５と受信アンテナ２２が対応する位置を保つことができる。
【００２５】
例えば、回転体１２は、円盤と中空の円筒を接合した形状のものが適用できる。そして、円盤の一面にガスセンサ１１が配置され、円盤内に第１の磁石１３が配置され、円筒の中空内に受電・送信ユニット２３が配置される。また、回転体１２の材質は樹脂が好適である。
【００２６】
固定台１４は、ベアリング１５を介して回転体１２の位置を支持する支持部材である。例えば、固定台１４は、円盤の中心に円筒形状の孔を有し、ベアリング１５を介して回転台を回転自在に支持する。
【００２７】
ベアリング１５は、回転体１２と固定台１４との間に位置し、回転体１２と固定台１４に接する転がり軸受である。例えばベアリング１５は、ボールベアリングが好適である。
【００２８】
駆動部１６は、モータ１７と、回転板１８と、第２の磁石１９とから構成される。そして駆動部１６は、回転体１２を回転させる。具体的な回転方法については、後述する。
【００２９】
モータ１７の回転軸は、回転板１８と連結され、回転板１８を回転させる。モータ１７は、一定速度で回転できるモータであれば、いずれも適用できる。例えば、回転速度をフィードバックして回転速度を制御するブラシレスモータが好適である。
【００３０】
回転板１８は、回転軸から離間した位置に第２の磁石１９を備える。第１の磁石１３と第２の磁石１９は、互いに異なる極性で対向させることにより、引き合う力が発生する。例えば、第１の磁石１３のＮ極と第２の磁石１９のＳ極とを向かい合わせるように配置する。
【００３１】
これらの構成の回転軸方向から見た配置について図２を用いて説明する。図２は、実施の形態１にかかるガス検出装置の構成を示す上面透視図である。図２に示すように、回転体１２と、固定台１４と、回転板１８と、モータ１７は、回転軸（中心軸）を同じくして配置されている。
【００３２】
そして、第１の磁石１３と第２の磁石１９は、回転軸から同じ距離で離れた位置に配置されている。したがって、モータ１７が回転すると、第２の磁石１９を所定の回転半径で周回する。そして、第２の磁石１９と誘引し合う第１の磁石１３は、第２の磁石１９と同期して所定の回転半径で周回する。第１の磁石１３は回転軸から離間した位置で回転体１２に固定されているので、第１の磁石１３が周回することにより、回転体１２も回転する。
【００３３】
そして、ガスセンサ１１は、この回転軸から離間した位置で回転体１２上に配置されている。したがって、回転体１２が回転することにより、ガスセンサ１１も周回する。図の例では、ガスセンサ１１は回転体１２の周縁部に固定されている。ガスセンサ１１を固定する位置を回転軸から半径方向に遠ざけるすなわち周縁部に近づける程、回転体１２の回転速度が同じでもガスセンサ１１の移動速度を速くすることができる。また、ガスセンサ１１を回転体１２の周縁部に固定することにより、回転体１２を小型化（小径化）することができる。
【００３４】
モータ１７は一定速度で回転するので、ガスセンサ１１も一定速度で周回することになる。すなわち、ガスセンサ１１と周囲のガスとは、相対的に一定速度を保つことになる。すなわち、ガスセンサ１１を基準とすると、周囲のガスはガスセンサ１１に対して一定の流速で流れていることになる。
【００３５】
このように実施の形態１のガス検出装置によれば、ガスセンサを一定速度で周回させることにより、ガスセンサに対して周囲の滞留したガスが相対的に一定の流速を保った状態でガスを検出することができる。そのため、測定対象のガスが停滞している状態でも、ガスを精度良く検出し、その濃度を精度良く測定することができる。
なお、実施の形態１のガス検出装置は、密閉容器内のガス検出に好適であるが、これに限定されるものではない。
【００３６】
また、実施の形態１のガス検出装置によれば、駆動部側と回転体側が、回転軸から同じ距離に、それぞれ磁石を備えることにより、非接触で駆動部の回転を回転体側に伝達することができる。
【００３７】
次に図１に戻り、電力供給及び測定データの伝送に関する構成について説明する。
給電・通信ユニット２０は、給電用コイル２１及び受信アンテナ２２と電気的に接続する。そして、給電・通信ユニット２０は、給電用コイル２１に交流電流を流す。また、給電・通信ユニット２０は、受信アンテナ２２が受信した無線信号を増幅及び変換して、ガス濃度のデジタルデータを得る。
【００３８】
給電用コイル２１は、給電・通信ユニット２０から出力された交流電流を磁界に変換する。例えば給電用コイル２１は、１または複数の環状の金属導線が好適である。
【００３９】
受信アンテナ２２は、送信アンテナ２５から送信された無線データを受信して、給電・通信ユニット２０に出力する。
【００４０】
受電・送信ユニット２３は、受電用コイル２４、送信アンテナ２５、及びガスセンサ１１と電気的に接続する。そして受電・送信ユニット２３は、受電用コイル２４から出力された交流電流を、受電・送信ユニット２３及びガスセンサ１１の電源とする。また、受電・送信ユニット２３は、ガスセンサ１１から出力された測定データを無線信号に変換し、無線信号を送信アンテナ２５に出力する。
【００４１】
受電用コイル２４は、給電用コイル２１が発生した磁界を交流電流に変換し、交流電流を受電・送信ユニット２３に出力する。
送信アンテナ２５は、無線信号を受信アンテナ２２に送信する。
【００４２】
これら給電・通信ユニット２０及び受電・送信ユニット２３の詳細について説明する。図３は、実施の形態１にかかるガス検出装置の電気回路に関するブロック図である。図３において、太い実線は電力ラインを示し、細い実線はデータラインを示し、破線は制御ラインを示す。図３において、給電・通信ユニット２０は、信号発生器３０と、ＤＣ電源３１と、誘導電源回路３２と、受信回路３７と、データ変換回路３８と、ＰＣ３９とを備える。また、受電・送信ユニット２３は、受電用コイル２４と、ＡＣ−ＤＣ変換回路３３と、デジタル変換回路と、コントローラ３５と、送信回路３６と、送信アンテナ２５とを備える。例えば、これらの給電・通信ユニット２０及び受電・送信ユニット２３の構成は、電子回路部品または半導体回路により構成されることが好適である。
【００４３】
まず、給電・通信ユニット２０から受電・送信ユニット２３に、電力を供給する構成について説明する。
【００４４】
信号発生器３０は、所定の周波数の交流信号を発生して誘導電源回路３２に出力する。
ＤＣ電源３１は、直流信号を誘導電源回路３２に供給する。
【００４５】
誘導電源回路３２は、ＤＣ電源３１から供給された直流信号の電力を、信号発生器３０から出力された交流信号の周波数の交流として、給電用コイル２１に供給する。
給電用コイル２１は、供給された交流の電力により磁界を発生させる。
【００４６】
受電用コイル２４は、給電用コイル２１で発生した磁界により、交流の電力を発生させる。すなわち、受電用コイル２４は、給電用コイル２１と誘導結合している。そして、受電用コイル２４は、交流の電力をＡＣ−ＤＣ変換回路３３に供給する。
【００４７】
ＡＣ−ＤＣ変換回路３３は、交流の電力を直流の電力に変換する。そして、ＡＣ−ＤＣ変換回路３３は、直流の電力を、デジタル変換回路３４、コントローラ３５、及び送信回路３６に供給する。
【００４８】
これら信号発生器３０、ＤＣ電源３１、誘導電源回路３２、給電用コイル２１、受電用コイル２４、及びＡＣ−ＤＣ変換回路３３の構成を用いて非接触電力伝送を行うことにより、給電・通信ユニット２０と受電・送信ユニット２３とが非接触の状態で、デジタル変換回路３４、コントローラ３５、及び送信回路３６に電力を供給することができる。
【００４９】
なお、非接触電力伝送方式としては、上述の電磁誘導方式以外に、磁気共鳴方式を用いることもできる。
【００５０】
次に、ガスセンサ１１の測定結果を受電・送信ユニット２３から給電・通信ユニット２０に伝送する構成について説明する。
【００５１】
ガスセンサ１１は、測定対象のガスの吸着による電気信号の変化を測定する。そして、ガスセンサ１１は、測定したガス濃度のアナログデータをデジタル変換器３４に出力する。
【００５２】
デジタル変換器３４は、測定したガス濃度のアナログデータを増幅及びデジタル変換して、デジタルデータを得る。そして、デジタル変換器３４は、測定したガス濃度のデジタルデータをコントローラ３５に出力する。
【００５３】
コントローラ３５は、測定したガス濃度のデジタルデータを符号化する。そして、コントローラ３５は符号化されたデジタルデータを送信回路３６に出力する。また、図３において破線矢印で示すように、コントローラ３５は、ガスセンサ１１及びデジタル変換器３４を制御する。例えば、コントローラ３５は、ガスセンサ１１の測定条件、デジタル変換器３４の増幅率等を制御する。
【００５４】
送信回路３６は、ガス濃度のデジタルデータを変調、周波数変換、及び増幅して変調波を得る。そして、送信回路３６は、変調波を送信アンテナ２５に出力する。
送信アンテナ２５は、変調波を電波として送信する。
【００５５】
受信アンテナ２２は、電波を受信して変調波を得る。そして、受信アンテナ２２は、変調波を受信回路３７に出力する。
受信回路３７は、変調波を増幅、周波数変換、及び復調してデジタルデータを得る。そして、受信回路３７はデジタルデータをデータ変換回路３８に出力する。
【００５６】
データ変換回路３８は、デジタルデータを復号化する。そして、データ変換回路３８は、復号化したデジタルデータをＰＣ３９に出力する。この復号化したデジタルデータには、ガス濃度のデジタルデータが含まれている。
ＰＣ３９は、ガス濃度のデジタルデータを蓄積及び表示する。
【００５７】
以上の構成により、電力を受電・送信ユニット２３から給電・通信ユニット２０に供給し、そしてガスセンサ１１が測定したガス濃度のデータを受電・送信ユニット２３から給電・通信ユニット２０に伝送する。
【００５８】
この電力供給及び測定したガス濃度のデータの伝送は、回転する受電・送信ユニット２３と、回転しない給電・通信ユニット２０との間で行われるので、互いのコイル及びアンテナの形状及び配置を考慮する必要がある。次に、給電用コイル２１、受電用コイル２４、送信アンテナ２５、及び受信アンテナ２２の形状及び配置について、再び図２を用いて説明する。
【００５９】
図２に示すように、給電用コイル２１と受電用コイル２４とは、回転軸方向から見て、回転軸を中心として重なるように配置されている。そして、給電用コイル２１と受電用コイル２４の形状は同じ直径を有する環であるので、回転体１２が回転しても、給電用コイル２１と受電用コイル２４の相対位置は変わらない。すなわち、回転体１２が回転している時に、給電用コイル２１と受電用コイル２４は、安定して誘導結合することができ、給電・通信ユニット２０から受電・送信ユニット２３に非接触で電力を供給することができる。
【００６０】
また、送信アンテナ２５と受信アンテナ２２も、前記回転軸方向からの投影面において互いに重なるように配置されている。そして、送信アンテナ２５と受信アンテナ２２の形状は同じ直径を有する環であるので、回転体１２が回転しても、送信アンテナ２５と受信アンテナ２２の相対位置は変わらない。したがって、回転体１２が回転している時に、送信アンテナ２５から受信アンテナ２２に安定してデータを伝送することができる。
【００６１】
このように、実施の形態１のガス検出装置によれば、非接触電力伝送方式で電力を供給することにより、密閉空間内に配置したガスセンサ及び回路に電力を供給することができ、密閉空間内のガス濃度を測定することができる。
【００６２】
また、このように、実施の形態１のガス検出装置によれば、ガス濃度を測定したデータを無線信号で送信することにより、密閉空間内のガス濃度を測定した結果を外部に伝送することができる。
【００６３】
（実施の形態２）
実施の形態２では、実施の形態１のガス検出装置１０を用いて、積層体４０の密閉容器の封止品質を評価する方法について説明する。密閉容器内のガス濃度を測定する場合、密閉容器内に少なくともガスセンサ１１及び回転体１２を配置することになる。図４は、実施の形態２に係るガス検出装置及びリチウムイオン電池の構成を示す断面図である。
【００６４】
図４に示すように、ガス検出装置１０は、リチウムイオン電池の積層体と４０と共に密閉容器４１内に配置されている。
【００６５】
密閉容器４１は、ガス検出装置１０及び積層体４０を覆い、密閉空間を形成して密閉容器である。そして、密閉容器４１は、磁場を透過し、水分を透過させない材料で構成される。例えば、密閉容器４１は、ラミネートフィルム、特にアルミラミネートフィルムが好適である。
【００６６】
フレーム４２は密閉容器４１内に配置され、減圧による密閉容器４１の変形を防ぐ構成である。すなわちフレーム４２は、密閉容器４１が減圧により凹んでガス検出装置１０に干渉することを防ぐ。フレーム４２は、磁場を透過し、且つ減圧による変形を防ぐために必要な剛性を有する材料で構成される。フレーム４２の材料としては、塩化ビニル樹脂が好適である。
【００６７】
密閉容器４１及びフレーム４２の形状は、ガス検出装置１０及び積層体４０を覆うことが可能であれば、いずれの形状でも良い。また、フレーム４２は、格子、板、または格子と板を組み合わせた形状が好適である。
【００６８】
積層体４０の電極端子は、ラミネートフィルム同士で挟み、溶着することにより、密閉を保ちつつ、外部と導通することができる。
【００６９】
このように積層体４０を封入した密閉容器４１に、振動（外力）、温度、充放電などの実働負荷を与え、封止品質を評価する。例えば、振動は加振器により与えられる。また、温度は熱源により上昇させることができる。また、充放電は充放電装置により実施される。
【００７０】
このように実施の形態２の封止品質評価方法によれば、ガスセンサを回転軸から離間した周上を一定速度で周回させることにより、ガスセンサと滞留したガスが一定の流速を保った状態で測定できるので、密閉容器内で滞留しているガスを精度良く検出することができ、密閉容器の封止品質を精度良く評価できる。
【００７１】
なお、本発明は上記実施の形態に限られたものではなく、趣旨を逸脱しない範囲で適宜変更することが可能である。
【００７２】
例えば、上記実施の形態では、モータ１７を密閉容器外に配置しているが、モータ１７を密閉容器内に配置し、電力を密閉容器外から電波で供給してもよい。また回転体１２及び回転板１８は、回転軸から離間した位置にガスセンサ１１を配置することができれば、円盤形状以外でもよい。図５は、実施の形態１にかかるガス検出装置の変形例の構成を示す上面透視図である。例えば、図５のように、円盤の代わりに角棒の形状を有し、回転軸から離間した位置で角棒の上または端部にガスセンサ１１を配置しても良い。回転板についても同様に円盤の代わりに角棒の形状としても良い。
【００７３】
回転体１２は、回転軸が質量中心となるのが望ましい。したがって、ガスセンサ１１または磁石により回転体１２の質量中心が回転軸からずれる場合には、カウンターウェイトを備えることが望ましい。
【００７４】
また第１の磁石１３と第２の磁石１９は、永久磁石が好適であるが、電磁石を用いてもよい。この場合、第１の磁石１３には、ガスセンサ１１と同様に非接触電力伝送方式で電力を供給することにより磁力を発生させることが望ましい。また、第１の磁石１３は回転体１２の内部に配置しても良いし、表面に配置しても良い。同様に第２の磁石１９は、回転板１８の内部に配置しても良いし、表面に配置しても良い。
【００７５】
また、ガスセンサ１１は、回転体１２の回転軸から離間した位置、且つガスと接触できる位置であれば、回転体１２上のいずれの位置でも配置することができる。
【００７６】
また、ガスセンサ１１は、測定対象のガスの吸着による電気信号の変化を測定するものであれば、いずれも適用可能である。例えば、ガスの吸着による静電容量の変化を測定する静電容量式ガスセンサ、ガスの吸着による抵抗値の変化を測定する半導体式ガスセンサも適用可能である。またガスセンサ１１は、ガス成分を検出してもよい。
【００７７】
また、上記実施の形態では、回転体１２と回転板１８とを、磁力により同期させて回転させているが、モータ１７を密閉空間内に配置して回転体１２をモータ１７で回転させても良い。この場合、モータ１７の電力は、電池または非接触電力伝送により供給するのが望ましい。
【００７８】
また、上記実施の形態では、測定したデータを無線信号で伝送し、密閉容器外のＰＣ３９で蓄積及び表示しているが、密閉容器内に小型ロガーを配置して測定したデータを蓄積しても良い。
【符号の説明】
【００７９】
１０  ガス検出装置
１１  ガスセンサ
１２  回転体
１３  第１の磁石
１４  固定台
１５  ベアリング
１６  駆動部
１７  モータ
１８  回転板
１９  第２の磁石
２０  給電・通信ユニット
２１  給電用コイル
２２  受信アンテナ
２３  受電・送信ユニット
２４  受電用コイル
２５  送信アンテナ
３０  信号発生器
３１  電源
３２  誘導電源回路
３３  変換回路
３４  デジタル変換器
３５  コントローラ
３６  送信回路
３７  受信回路
３８  データ変換回路
４０  積層体
４１  密閉容器
４２  フレーム
【図１】
0006304181.tif 000002
【図２】
0006304181.tif 000003
【図３】
0006304181.tif 000004
【図４】
0006304181.tif 000005
【図５】
0006304181.tif 000006